(57)【要約】      （修正有）【課題】保持特性が改善された拡開プラグを提供する。【解決手段】少なくとも１つの拡開脚部１０が、拡開領域３の長手方向延在長さの一部にわたってのみ延びる少なくとも１つの中空室１４を有しており、拡開脚部１０が、中空室１４を少なくとも部分的に半径方向ｒで表面１１および拡開通路の側で取り囲んでいる。【選択図】図１
2014224606.tif 000002
【特許請求の範囲】
【請求項１】
穿設穴内に固定するための拡開プラグ（１，２０１）であって、該拡開プラグ（１，２０１）が、穿設穴の壁に当て付けるための表面（１１，２１１）を備えた拡開領域（３，２０３）を有しており、該拡開領域（３，２０３）が、少なくとも２つの拡開脚部（１０，２１０）と、長手方向（ＲＬ）に延びる１つの拡開通路（１３，２１３）とを有しており、固定のために、拡開脚部（１０，２１０）が、拡開通路（１３，２１３）内に導入可能な拡開エレメントによって半径方向（ｒ）で互いに離れる方向に運動可能である、穿設穴内に固定するための拡開プラグにおいて、
少なくとも１つの拡開脚部（１０，２１０）が、拡開領域（３，２０３）の長手方向延在長さの一部にわたってのみ延びる少なくとも１つの中空室（１４，２１４）を有しており、拡開脚部（１０，２１０）が、中空室（１４，２１４）を少なくとも部分的に半径方向（ｒ）で表面（１１，２１１）および拡開通路（１３，２１３）の側で取り囲んでいることを特徴とする、穿設穴内に固定するための拡開プラグ。
【請求項２】
長手方向（ＲＬ）での中空室（１４）の延在長さが、半径方向での中空室（１４）の延在長さにほぼ相当している、請求項１記載の拡開プラグ。
【請求項３】
長手方向（ＲＬ）での中空室（２１４）の延在長さが、主として、半径方向での中空室（２１４）の延在長さよりも大きく設定されている、請求項１記載の拡開プラグ。
【請求項４】
拡開脚部（１０）が、第１のプラスチックから構成されており、中空室（１４）が、第２のプラスチックで充填されている、請求項１から３までのいずれか１項記載の拡開プラグ。
【請求項５】
中空室（１４，２１４）が、拡開プラグ（１，２０１）の長手方向軸線（Ｌ）に対して平行でない主軸線（Ｈ）に沿って延びている、請求項１から４までのいずれか１項記載の拡開プラグ。
【請求項６】
中空室（１４，２１４）が、少なくとも１つの開口（１５，２１５）を有しており、これによって、中空室（１４，２１４）が、局所的に表面（１１，２１１）に向かって開放している、請求項１から５までのいずれか１項記載の拡開プラグ。
【請求項７】
拡開脚部（１０，２１０）が、互いに分離された少なくとも２つの中空室（１４，２１４）を有している、請求項１から６までのいずれか１項記載の拡開プラグ。
【請求項８】
表面（１１）が、ほぼ平滑である、請求項１から７までのいずれか１項記載の拡開プラグ。
【請求項９】
表面（２１１）が、拡開領域（２０３）の直径（Ｄｓ）の８％よりも小さい深さ（ｔ）を有する複数の溝状の凹部（２１８）を有している、請求項１から７までのいずれか１項記載の拡開プラグ。
【発明の詳細な説明】
【技術分野】
【０００１】
本発明は、穿設穴内に固定するための拡開プラグであって、該拡開プラグが、穿設穴の壁に当て付けるための表面を備えた拡開領域を有しており、該拡開領域が、少なくとも２つの拡開脚部と、長手方向に延びる１つの拡開通路とを有しており、固定のために、拡開脚部が、拡開通路内に導入可能な拡開エレメントによって半径方向で互いに離れる方向に運動可能である、穿設穴内に固定するための拡開プラグに関する。
【背景技術】
【０００２】
冒頭に記載の拡開プラグは、独国特許出願公告第１０９７１１７号明細書に基づき公知である。この公知の拡開プラグはプラスチックから製造されていて、対象物を固定用基礎に取り付けるために使用される。このためには、拡開プラグが穿設穴内に挿入され、拡開プラグの長手方向に延びる拡開通路内にねじが導入される。拡開プラグはその後方の端部に管状のスリーブを有している。このスリーブは拡開領域に移行している。この拡開領域では、２つの円セグメント状の拡開脚部がスリットによって互いに分離されている。拡開通路内へのねじの導入時には、拡開脚部が半径方向外向きに穿設穴壁に向かって押圧される。これによって、拡開プラグが穿設穴内に固定される。固定用基礎内での拡開プラグの可能な限り良好な保持を達成するためには、拡開脚部が複数の鋸歯状の切込みを有している。これらの切込みは外向きに開放していて、ほぼ拡開通路にまで達している。
【０００３】
欧州特許第０８３４６５９号明細書には、ほぼ方形の２つの拡開脚部と、ほぼ円セグメント状の２つの拡開脚部とを備えた拡開プラグが示されている。拡開脚部は、互いに向かい合った面に複数の溝を有している。これによって、ねじを導入するための拡開通路が形成される。固定のためには、ねじによって拡開脚部を半径方向外向きに互いに離れる方向に運動させることができ、穿設穴壁に向かって押圧することができる。拡開脚部の間には、スリットが配置されている。このスリットは、長手方向で拡開領域全体にわたって延びていて、拡開プラグの周壁を貫通している。スリットによって拡開プラグを半径方向に押し縮めることができ、これによって、穿設穴に適合させることができる。拡開プラグと穿設穴壁との間に可能な限り大きな当付け面積を提供するために、拡開プラグは平滑な表面を有している。
【先行技術文献】
【特許文献】
【０００４】
【特許文献１】独国特許出願公告第１０９７１１７号明細書
【特許文献２】欧州特許第０８３４６５９号明細書
【発明の概要】
【発明が解決しようとする課題】
【０００５】
公知の拡開プラグを起点として、本発明の課題は、保持特性が改善された拡開プラグを提供することである。
【課題を解決するための手段】
【０００６】
この課題を解決するために、本発明に係る拡開プラグでは、少なくとも１つの拡開脚部が、拡開領域の長手方向延在長さの一部にわたってのみ延びる少なくとも１つの中空室を有しており、拡開脚部が、中空室を少なくとも部分的に半径方向で表面および拡開通路の側で取り囲んでいる。
【０００７】
本発明に係る拡開プラグの好ましい態様では、長手方向での中空室の延在長さが、半径方向での中空室の延在長さにほぼ相当している。
【０００８】
本発明に係る拡開プラグの好ましい態様では、長手方向での中空室の延在長さが、主として、半径方向での中空室の延在長さよりも大きく設定されている。
【０００９】
本発明に係る拡開プラグの好ましい態様では、拡開脚部が、第１のプラスチックから構成されており、中空室が、第２のプラスチックで充填されている。
【００１０】
本発明に係る拡開プラグの好ましい態様では、中空室が、拡開プラグの長手方向軸線に対して平行でない主軸線に沿って延びている。
【００１１】
本発明に係る拡開プラグの好ましい態様では、中空室が、少なくとも１つの開口を有しており、これによって、中空室が、局所的に表面に向かって開放している。
【００１２】
本発明に係る拡開プラグの好ましい態様では、拡開脚部が、互いに分離された少なくとも２つの中空室を有している。
【００１３】
本発明に係る拡開プラグの好ましい態様では、表面が、ほぼ平滑である。
【００１４】
本発明に係る拡開プラグの好ましい態様では、表面が、拡開領域の直径の８％よりも小さい深さを有する複数の溝状の凹部を有している。
【発明の効果】
【００１５】
アンカ固定用基礎に設けられた穿設穴内にアンカ固定するための本発明に係る拡開プラグは、少なくとも２つの拡開脚部を備えた拡開領域を有している。この拡開領域は、穿設穴の壁に当て付けるための表面を備えている。拡開領域は、さらに、拡開プラグの長手方向軸線に沿って長手方向に延びる拡開通路を有している。拡開プラグを穿設穴内に固定するために、拡開エレメント、たとえばねじまたは釘が拡開通路内に導入されると、拡開エレメントが拡開脚部を半径方向で互いに離れる方向に運動させる。ここで、「半径」とは、拡開プラグの長手方向軸線を基準としている。したがって、これに関連して、「半径方向」とは、長手方向軸線に対して垂直であると共に長手方向軸線から離れる方向に向けられたあらゆる方向を意味している。拡開脚部は、拡開エレメントによって穿設穴の壁に向かって押圧され、これによって、拡開プラグが摩擦によって穿設穴内に保持されている。可能な限り容易な拡開を可能にするためには、拡開脚部が、特に長手方向に延びるスリットによって互いに分離されている。このスリットは真っ直ぐに延びている必要はなく、波形状またはジグザグ形状を有していてもよい。スリットは、拡開領域全体にわたって延びていてもよいし、たとえばスリットが全体的にまたは部分的に射出成形表層または伸長可能な壁によって閉鎖されている場合には、中断または閉鎖されていてもよい。これによって、拡開通路内での拡開エレメントのガイドが容易になる。
【００１６】
本発明に係る拡開プラグは、少なくとも１つの拡開脚部が、拡開領域の長手方向延在長さの一部にわたってのみ延びる少なくとも１つの中空室を有していることを特徴としている。「中空室」とは、拡開脚部の内部の、特に空の、主として取り囲まれた中空の空間を意味している。これに関連して、「空」とは、中空室が、この中空室を取り囲む拡開脚部を構成するプラスチックで充填されていないことを意味している。特に中空室は空気で満たされている。別の表現をすると、拡開脚部は中空室を少なくとも部分的に、特に主として半径方向で表面および拡開通路の側で取り囲んでいる。これは、中空室が拡開通路に対して半径方向にずらされて配置されていることを意味している。
【００１７】
本発明に係る拡開プラグの拡開領域は、中空室に基づき良好に変形可能となる。特に拡開領域の半径方向の可動性が提供されており、これによって、拡開領域を穿設穴の壁に良好に適合させることができる。
【００１８】
好ましくは、拡開プラグの長手方向での中空室の延在長さが、半径方向での中空室の延在長さにほぼ相当している。中空室は、特にほぼ円形の横断面を有していてよい。これに対して択一的には、長手方向での中空室の延在長さが、主として、半径方向での中空室の延在長さよりも大きく設定されている。この態様では、中空室が、たとえば著しく楕円形のまたは長方形の横断面を有している。規定された横断面の選択によって、拡開脚部を拡開エレメントによって穿設穴壁に向かって押圧する力に影響を与えることができる。
【００１９】
さらに、好適には、拡開脚部が、第１のプラスチックから構成されており、中空室が、第２のプラスチックで充填されている。この場合、充填は完全に行われている必要はない。中空室は、より硬質のまたはより軟質のプラスチックで埋め尽くされていてもよい。これによって、拡開脚部を拡開エレメントによって穿設穴壁に向かって押圧する力に局所的に中空室の領域で影響を与えることができる。
【００２０】
本発明に係る拡開プラグの好適な態様では、中空室が、拡開プラグの長手方向軸線に対して平行でない主軸線に沿って延びている。特に中空室の主軸線は、たとえば中空室が円筒状に形成されている場合には直線である。円筒状の中空室の態様では、主軸線が円筒の高さに対して平行である。特に主軸線は拡開プラグの長手方向軸線に対して半径方向の１つの平面内に延びている。これによって、本発明に係る拡開プラグの簡単な製造が保証されている。
【００２１】
本発明に係る拡開プラグの別の好適な態様の中空室は、少なくとも１つの開口を有しており、これによって、中空室が、表面に向かって局所的に開放している。これによって、本発明に係る拡開プラグの簡単なかつ廉価な製造が可能となる。
【００２２】
好ましくは、本発明に係る拡開プラグの拡開脚部が、互いに分離された少なくとも２つの中空室を有している。特に２つの中空室は、たとえば半径方向に延びる壁によって長手方向で互いに分離されており、これによって、中空室が長手方向で相前後して位置している。択一的または付加的には、中空室が周方向で互いに分離されていてもよい。２つ以上の中空室によって、１つの中空室の場合よりも大きな拡開領域の部分にわたって、拡開エレメントにより発生させられる、拡開脚部から穿設穴に伝達される拡開圧に影響を与えることができる。たとえば、拡開脚部が一方の部分領域では比較的軟質であり、他方の部分領域ではより硬質であるように、中空室をそれぞれ異なる形態で形成することが可能となる。
【００２３】
本発明に係る拡開プラグは、好ましくは、ほぼ平滑である表面を有している。択一的には、表面が、拡開領域の直径の８％よりも小さい、特に５％以下の深さを有する複数の溝状の凹部を有している。したがって、本発明に係る拡開プラグの両変化態様では、拡開領域に、穿設穴の壁に当て付けるための比較的大きな表面積が存在している。これによって、表面と穿設穴壁との間で摩擦接続により伝達可能な力を、溝状のリブを備えた公知先行技術に基づき公知のプラグに比べて改善することができる。
【図面の簡単な説明】
【００２４】
【図１】本発明に係る第１の拡開プラグの側面図である。
【図２】本発明に係る第１の拡開プラグの断面図であり、断面が、拡開プラグの長手方向軸線に沿って延びている。
【図３】図１に示したＩＩＩ−ＩＩＩ線に沿った本発明に係る第１の拡開プラグの横断面図である。
【図４】本発明に係る第２の拡開プラグの側面図である。
【図５】本発明に係る第２の拡開プラグの断面図であり、断面が、拡開プラグの長手方向軸線に沿って延びている。
【図６】図４に示したＶＩ−ＶＩ線に沿った本発明に係る第２の拡開プラグの横断面図である。
【発明を実施するための形態】
【００２５】
以下に、本発明を実施するための形態を図面につき詳しく説明する。
【００２６】
図１〜図３には、固定用基礎（図示せず）に設けられた穿設穴（図示せず）内に固定するための本発明に係る第１の拡開プラグ１が示してある。この拡開プラグ１は、挿入方向Ｅで見て、その後方に配置されたスペーススリーブ２を有している。このスペーススリーブ２には、挿入方向Ｅで拡開領域３が続いている。スペーススリーブ２の後方の端部には、穿設穴開口に当て付けるための漏斗状の半径方向フランジ４が配置されており、これによって、穿設穴内への拡開プラグ１の過度に深い挿入が阻止されるようになっている。半径方向フランジ４には、挿入方向Ｅで４つのリブ状の回動防止エレメント５が続いている。これらの回動防止エレメント５は、それぞれ周方向Ｕにおいて９０°だけずらされて、スペーススリーブ２の周面６を越えて半径方向ｒに張り出している。なお、「半径方向」とは、好適な方向を意味しているのではなく、一般的に長手方向軸線に対して直交するあらゆる方向を意味している。図２に認めることができるように、スペーススリーブ２は中空であり、このスペーススリーブ２を通して拡開エレメント（図示せず）、たとえば釘またはねじを拡開領域３内に導入することができる。スペーススリーブ２により形成された導入通路７はその後方の端部では円筒状であり、拡開領域３の方向では円錐形に狭められている。
【００２７】
拡開領域３は、ほぼ円筒状に形成されていて、拡開プラグ１の前方の端部を成す円錐台形の先端部８を備えている。拡開領域３を半径方向ｒに拡開することができるようにするために、拡開領域３は１つのスリット９を有している。このスリット９は円筒状の拡開領域３を２つの円セグメント状のもしくは弓形の拡開脚部１０に分割している。各拡開脚部１０の外側の円弧は、拡開領域３の、穿設穴の壁に当て付けるための表面１１を形成している。両拡開脚部１０は、先端部８でかつ長手方向軸線Ｌに沿って、互いに間隔を置いて配置された複数のウェブ１２によって結合されている。これらのウェブ１２は、長手方向軸線Ｌに対して傾けられていて、スリット９を、長手方向軸線Ｌに対して僅かに半径方向ｒにずらされて配置された複数の中断された部分に分割している。拡開脚部１０は、拡開領域３を完全にかつ中断なしに貫通する拡開通路１３を取り囲んでいる。この拡開通路１３は導入通路７に比べて狭められている。拡開通路１３の後方の部分は、導入通路７と拡開通路１３の前方の管状の部分との間の移行領域として円錐形に形成されている。拡開プラグ１を穿設穴内に固定するためには、拡開通路１３内に拡開エレメントが導入される。これによって、拡開脚部１０が半径方向ｒで互いに離れる方向に運動させられ、固定のために、穿設穴の壁に向かって押圧される。
【００２８】
拡開脚部１０は、それぞれ８つの中空室１４を有している。これらの中空室１４は、それぞれ拡開領域３の長手方向延在長さの一部にわたって延びている。中空室１４は、拡開脚部１０が中空室１４を主として半径方向ｒで表面１１および拡開通路１３の側で取り囲んでいる、つまり、表面１１および拡開通路１３の側で閉鎖しているように、拡開脚部１０に配置されている。中空室１４は拡開脚部１０を管状にかつ完全に貫通しており、これによって、中空室１４ごとに拡開脚部１０に２つの開口１５が形成されており、これらの開口１５の領域で中空室１４は表面１１に向かって開放している。図１〜図３に示した本発明に係る第１の拡開プラグ１では、長手方向ＲＬでの中空室１４の延在長さが、半径方向での中空室１４の延在長さにほぼ相当している。本実施の形態では、長手方向ＲＬでの延在長さが、半径方向での延在長さよりも僅かに大きく設定されている。管状の中空室１４は、丸み付けられた隅部を備えた方形の横断面を有している。中空室１４は、長手方向軸線Ｌの半径方向平面内に位置する長手方向軸線Ｌを中心とした仮想円に対する接線を成す真っ直ぐな主軸線Ｈに沿って延びている。すなわち、この主軸線Ｈは、長手方向軸線Ｌに対して平行ではなく、長手方向軸線Ｌに対して直交する横方向にかつ所定の間隔を置いて延びている。中空室１４は、拡開脚部１０に長手方向ＲＬで対を成して相前後して配置されていて、半径方向ｒに延びる狭幅の壁１６および広幅の壁１６によって交互に長手方向ＲＬで互いに分離されている。中空室１４は、開口１５において局所的に周辺に向かって開放していて、したがって、空気によって満たされている。挿入方向Ｅと逆方向で最後から二番目の両中空室１４だけが、空気の代わりに、充填物１７で充填されている。この充填物１７は、拡開プラグ１の拡開脚部１０を構成するプラスチックよりも硬い硬質のプラスチックである。拡開領域３の拡開時には、硬質の充填物１７が穿設穴壁に向かって強い圧力を発生させ、これによって、大きな摩擦力が局所的に作用し、拡開エレメントとしてのねじのねじ込み時に拡開プラグ１が連れ回らないようになっている。
【００２９】
別の実施の形態として図４〜図６に示した本発明に係る第２の拡開プラグ２０１は、図１〜図３に示した本発明に係る第１の拡開プラグ１に類似した構造を有している。繰返しを避けるために、以下では、両実施の形態の間の顕著な違いのみを説明することにする。本発明に係る両拡開プラグ１，２０１に存在するエレメントには、第２の実施の形態において、第１の実施の形態に比べて２００だけ数字が増やされた符号が付してある。
【００３０】
本発明に係る第２の拡開プラグ２０１は、スペーススリーブ２０２の後方の端部に配置された回動防止エレメント２０５のほかに、拡開領域２０３の後方の端部に設けられた別の回動防止エレメント２０５を有している。２つの拡開脚部２１０も同じく円セグメント状に形成されていて、スリット２０９によって互いに分離されており、これによって、拡開のために、拡開脚部２１０が半径方向ｒで互いに離れる方向に運動可能となる。スリット２０９は中間で長手方向軸線Ｌの領域に配置されていて、長手方向ＲＬで互いに間隔を置いて配置された、拡開脚部２１０を互いに結合しかつ拡開時に破断される２つのウェブ２１２によって中断されている。両拡開脚部２１０には、それぞれ３つの中空室２１４が配置されている。長手方向ＲＬでの中空室２１４の延在長さは、半径方向ｒでの中空室２１４の延在長さよりも数倍大きく設定されている。中空室２１４の間には、長手方向ＲＬで中空室２１４よりも短い壁２１６が配置されている。中空室２１４はいずれもプラスチック充填物で充填されていないので、本発明に係る第２の拡開プラグ２０１は、長手方向でより少なく延びかつ硬質のプラスチックで部分的に充填された中空室１４を有する図１〜図３に示した第１の拡開プラグ１よりも強く半径方向に圧縮可能となる。拡開領域２０３の表面２１１は平滑ではなく、複数の溝状の凹部２１８を有している。これらの凹部２１８の深さｔは、拡開領域２０３の直径Ｄｓの約５％に設定されている。
【００３１】
両実施の形態で図示した本発明に係る拡開プラグ１，２０１はその構成に基づき、固定用基礎に取り付けられた対象物から固定用基礎に高い保持力を伝達することができる。両拡開プラグ１，２０１は、拡開領域３，２０３における表面１１，２１１の構造に基づき、特に拡開脚部１０，２１０に深く切り込まれる複数の溝の省略によって、穿設穴の壁に当て付けるための大きな表面１１，２１１を有しており、これによって、拡開領域３，２０３が大きな面積にわたって穿設穴に作用することができる。また、拡開領域３，２０３が中空室１４，２１４によって良好に変形可能であり、これによって、拡開領域３，２０３が穿設穴の表面にかつ種々異なるねじに良好に適合することができるので、本発明に係る拡開プラグ１，２０１は、たとえば直径がそれぞれ異なる木ねじおよびパーティクルボード用ねじに適している。
【符号の説明】
【００３２】
１，２０１  拡開プラグ
２，２０２  スペーススリーブ
３，３０３  拡開領域
４，２０４  半径方向フランジ
５，２０５  回動防止エレメント
６，２０６  周面
７，２０７  導入通路
８，２０８  先端部
９，２０９  スリット
１０，２１０  拡開脚部
１１，２１１  表面
１２，２１２  ウェブ
１３，２１３  拡開通路
１４，２１４  中空室
１５，２１５  開口
１６，２１６  壁
１７  充填物
２１８  凹部
Ｄｓ  拡開領域２０３の直径
Ｅ  挿入方向
Ｈ  主軸線
Ｌ  長手方向軸線
ｒ  半径方向
ＲＬ  長手方向
ｔ  凹部２１８の深さ
Ｕ  周方向
【図１】
2014224606.tif 000003
【図２】
2014224606.tif 000004
【図３】
2014224606.tif 000005
【図４】
2014224606.tif 000006
【図５】
2014224606.tif 000007
【図６】
2014224606.tif 000008